(57)【特許請求の範囲】
【請求項１】
少なくとも操作画面を表示する表示部と、
前記操作画面に対する操作入力を行う操作部と、
前記表示部および操作部を制御する制御部と、を有し、
前記制御部は、前記表示部に、第１の操作画面を表示し、かつ前記第１の操作画面上の所定位置に第２の操作画面を重ねて表示した重畳表示が可能であり、前記重畳表示に際し、前記第２の操作画面で、該第２の操作画面の配置原点を含む一部の領域を透過領域とする場合、前記第２の操作画面を、前記配置原点に基づく配置により表示し、
前記制御部には、前記第１の操作画面に対する操作入力を受け付ける第１操作画面制御部と、前記第２の操作画面に対する操作入力を受付ける第２操作画面制御部とを有し、
前記重畳表示に際し、前記第１操作画面制御部は、前記透過領域に対する操作入力と前記第２の操作画面の領域を除いた前記第１の操作画面に対する操作入力を前記第１の操作画面に対する操作として処理し、前記第２操作画面制御部は、前記透過領域を除いた前記第２操作画面に対する操作入力を前記第２の操作画面に対する操作として処理することを特徴とする操作表示装置。
【請求項２】
前記制御部は、前記重畳表示の際に、前記第２の操作画面に対する操作入力を前記配置原点に基づく配置に応じて受付けることを特徴とする請求項１記載の操作表示装置。
【請求項３】
前記表示部と前記操作部とが、表示装置にタッチパネルを組み合わせた構成からなることを特徴とする請求項１または２に記載の操作表示装置。
【請求項４】
前記操作部が、前記表示部外に設けられた入力装置を備えることを特徴とする請求項１〜３のいずれか１項に記載の操作表示装置。
【請求項５】
前記透過領域は、前記第１の操作画面に上書き描画されたものであることを特徴とする請求項１〜４のいずれか１項に記載の操作表示装置。
【請求項６】
画像形成を行う画像形成部と、
請求項１〜５のいずれかに記載の操作表示装置と、を備えることを特徴とする画像形成装置。
【請求項７】
少なくとも操作画面を表示する表示部と、
前記操作画面に対する操作入力を行う操作部と、
前記表示部および操作部を制御する制御部と、を有し、
前記制御部は、前記表示部に、画像形成用の第１の操作画面を表示し、かつ前記第１の操作画面上の所定位置に画像形成用の第２の操作画面を重ねて表示した重畳表示が可能であり、前記重畳表示に際し、前記第２の操作画面で、該第２の操作画面の配置原点を含む一部の領域を透過領域とする場合、前記第２の操作画面を、前記配置原点に基づく配置により表示し、
前記制御部には、前記第１の操作画面に対する操作入力を受け付ける第１操作画面制御部と、前記第２の操作画面の領域に対する操作入力を受付ける第２操作画面制御部とを有し、
前記重畳表示に際し、前記第１操作画面制御部は、前記透過領域に対する操作入力と前記第２の操作画面の領域を除いた前記第１の操作画面に対する操作入力を前記第１の操作画面に対する操作として処理し、前記第２操作画面制御部は、前記透過領域を除いた前記第２操作画面に対する操作入力を前記第２の操作画面に対する操作として処理することを特徴とする画像形成システム。
【請求項８】
少なくとも操作画面を表示する表示部と前記操作画面に対する操作入力を行う操作部と、を制御する操作表示方法であって、
前記表示部に、第１の操作画面を表示し、前記第１の操作画面上の所定位置に第２の操作画面を重ねて表示した重畳表示を実行させる工程と、
前記重畳表示に際し、前記第２の操作画面で、該第２の操作画面の配置原点を含む一部の領域を透過領域とする場合、前記第２の操作画面を前記配置原点に基づく配置により前記表示部に表示させる工程と、
前記第１の操作画面に対する操作入力と、前記第２の操作画面の領域に対する操作入力を受け付ける工程とを有し、
前記重畳表示に際し、前記透過領域に対する操作入力と前記第２の操作画面の領域を除いた前記第１の操作画面に対する操作入力を第１操作画面制御部によって前記第１の操作画面に対する操作として処理し、透過領域を除いた前記第２操作画面に対する操作入力を第２操作画面制御部によって前記第２の操作画面に対する操作として処理することを特徴とする操作表示方法。
【請求項９】
前記第２の操作画面に対する操作入力を前記配置原点に基づく配置に応じて受付けることを特徴とする請求項８記載の操作表示方法。
【発明の詳細な説明】
【技術分野】
【０００１】
この発明は、表示部に、第１の操作画面と第２の操作画面とを重畳して表示することができる操作表示装置、画像形成装置、画像形成システムおよび表示操作方法に関するものである。
【背景技術】
【０００２】
画像形成装置では、大量印刷が可能なＰＰ（プロダクトプロダクション）機やオフィスで使用されることを想定したＯＰ（オフィスプロダクション）機などが使用されている。さらに、最近では、ボーダー機としてＰＰ機にＯＰ機をセットにしたものが市販されている。このようなボーダー機では、ＯＰ機としての機能を果たす必要があり、ＯＰ機として使用される際の操作画面を搭載していることが必要とされる。操作画面の設計では、通常は、ＰＰ機のパネルアーキテクチュアに基づいて、既存のＯＰ機の操作画面を用いた設計を行っており、ＰＰ機の操作画面上にＯＰ機の操作画面を重ねた表示を可能にしている。
【０００３】
例えば、特許文献１では、外部からの映像を、本来の操作画面にオーバーレイ表示可能で、しかも、少ない操作で映像に関する制御を指示可能な制御用表示装置を提供している。タッチパネルへの入力位置が現在のオーバーレイ領域内と判定されると、相対座標変換部が入力位置をオーバーレイ領域に対する相対座標へ変換し、変換後の入力位置が上記入力範囲内と判断されると、上記オーバーレイ領域に関する制御を行う。
【０００４】
また、特許文献２では、データ種別を複数のタブ画面に割り付ける割付処理部を有し、複数のタブ画面が選択操作されると、描画処理部は各タブ画面の背景を非透過状態とする個別タブ描画モードから、選択操作されたタブ画面の最下層より上層のタブ画面の背景を透過状態とする複数タブ描画モードに切り替えて描画する機能が示されている。
【先行技術文献】
【特許文献】
【０００５】
【特許文献１】特開２００２−１４０１０４号公報
【特許文献２】特開２０１０−２２４７６０号公報
【発明の概要】
【発明が解決しようとする課題】
【０００６】
図１１に示すＬＣＤ２００で、ＰＰ機のＰＰ操作画面２１０上にＯＰ機のＯＰ操作画面２２０を重ねて表示する場合、ＯＰ操作画面２２０は、その原点の位置を基準にした相対座標によりＰＰ機の操作画面上に容易に配置することができる。一方、ＯＰ機の不要な操作領域や不要な表示領域は表示しないことにより、操作画面の使用効率は向上する。
しかし、削除した画面に原点が含まれている場合、図１１に示すように、原点位置が変わってしまう。さらに、ＯＰ操作画面のボタン群２２５を操作可能に表示するために画面をＰＰ操作画面２１０上で移動させると、さらに表示位置が変更されてしまう。このように原点位置が変わると、相対座標を用いた配置を行うことができず、ＯＰ画面の各ボタンやタイトルなどのパーツを一つ一つ座標を変更しなければならず、開発効率が悪いという課題がある。
【０００７】
本願発明は、上記事情を背景としてなされたものであり、第１の操作画面上に第２の操作画面を配置する際に、第２の操作画面を容易に配置することを可能にする操作表示装置、画像形成装置、画像形成システムおよび表示操作方法を提供することを目的とする。
【課題を解決するための手段】
【０００８】
すなわち、本願発明のうち、第１の本発明の操作表示装置は、少なくとも操作画面を表示する表示部と、前記操作画面に対する操作入力を行う操作部と、前記表示部および操作部を制御する制御部とを有し、
前記制御部は、前記表示部に、第１の操作画面を表示し、かつ前記第１の操作画面上の所定位置に第２の操作画面を重ねて表示した重畳表示が可能であり、前記重畳表示に際し、前記第２の操作画面で、該第２の操作画面の配置原点を含む一部の領域を透過領域とする場合、前記第２の操作画面を、前記配置原点に基づく配置により表示し、
前記制御部には、前記第１の操作画面に対する操作入力を受け付ける第１操作画面制御部と、前記第２の操作画面に対する操作入力を受付ける第２操作画面制御部とを有し、
前記重畳表示に際し、前記第１操作画面制御部は、前記透過領域に対する操作入力と前記第２の操作画面の領域を除いた前記第１の操作画面に対する操作入力を前記第１の操作画面に対する操作として処理し、前記第２操作画面制御部は、前記透過領域を除いた前記第２操作画面に対する操作入力を前記第２の操作画面に対する操作として処理することを特徴とする。
【０００９】
第２の本発明の操作表示装置は、前記第１の本発明の操作表示装置において、前記制御部は、前記重畳表示の際に、前記第２の操作画面に対する操作入力を前記配置原点に基づく配置に応じて受付けることを特徴とする。
【００１１】
第３の本発明の操作表示装置は、前記第１または第２の本発明の操作表示装置において、前記表示部と前記操作部とが、表示装置にタッチパネルを組み合わせた構成からなることを特徴とする。
【００１２】
第４の本発明の操作表示装置は、前記第１〜第３のいずれかの本発明の操作表示装置において、前記操作部が、前記表示部外に設けられた入力装置を備えることを特徴とする。
【００１３】
第５の本発明の操作表示装置は、前記第１〜第４のいずれかの本発明の操作表示装置において、前記透過領域は、前記第１の操作画面に上書き描画されたものであることを特徴とする。
【００１４】
第６の本発明の画像形成装置は、前記第１〜第５のいずれかの本発明の操作表示装置と、画像形成を行う画像形成部と、を備えることを特徴とする。
【００１５】
第７の本発明の画像形成システムは、
画像形成を行う画像形成部と、
少なくとも操作画面を表示する表示部と、
前記操作画面に対する操作入力を行う操作部と、
前記表示部および操作部を制御する制御部と、を有し、
前記制御部には、前記第１の操作画面に対する操作入力を受け付ける第１操作画面制御部と、前記第２の操作画面の領域に対する操作入力を受付ける第２操作画面制御部とを有し、
前記重畳表示に際し、前記第１操作画面制御部は、前記透過領域に対する操作入力と前記第２の操作画面の領域を除いた前記第１の操作画面に対する操作入力を前記第１の操作画面に対する操作として処理し、前記第２操作画面制御部は、前記透過領域を除いた前記第２操作画面に対する操作入力を前記第２の操作画面に対する操作として処理することを特徴とする。
【００１６】
第８の本発明の操作表示方法は、
少なくとも操作画面を表示する表示部と前記操作画面に対する操作入力を行う操作部と、を制御する操作表示方法であって、
前記表示部に、第１の操作画面を表示し、前記第１の操作画面上の所定位置に第２の操作画面を重ねて表示した重畳表示を実行させる工程と、
前記重畳表示に際し、前記第２の操作画面で、該第２の操作画面の配置原点を含む一部の領域を透過領域とする場合、前記第２の操作画面を前記配置原点に基づく配置により前記表示部に表示させる工程と、
前記第１の操作画面に対する操作入力と、前記第２の操作画面の領域に対する操作入力を受け付ける工程とを有し、
前記重畳表示に際し、前記透過領域に対する操作入力と前記第２の操作画面の領域を除いた前記第１の操作画面に対する操作入力を第１操作画面制御部によって前記第１の操作画面に対する操作として処理し、透過領域を除いた前記第２操作画面に対する操作入力を第２操作画面制御部によって前記第２の操作画面に対する操作として処理することを特徴とする。
【００１７】
第９の本発明の操作表示方法は、前記第８の本発明において、前記第２の操作画面に対する操作入力を前記配置原点に基づく配置に応じて受付けることを特徴とする。
【発明の効果】
【００１９】
本発明によれば、第１の操作画面と第２の操作画面を重ねて表示する際に、第２の操作画面を容易に配置することができ、開発生産性が向上する効果がある。
【図面の簡単な説明】
【００２０】
【図１】本発明の一実施形態の操作表示装置のブロック図を示す。
【図２】本発明の他の実施形態の画像形成装置のブロック図を示す。
【図３】本発明の他の実施形態の画像形成システムのブロック図を示す。
【図４】本発明の実施形態における操作画面の重畳を説明する図である。
【図５】同じく、重畳表示に際し、透過領域を配置した手順のシーケンスを示す図である。
【図６】同じく、上記シーケンスにおける操作画面の変遷を示す図である。
【図７】同じく、タッチパネルのキー検知処理の手順を示すフローチャートである。
【図８】同じく、ＰＰ画面とＯＰ画面を表示する処理の手順を示すフローチャートである。
【図９】レイヤーを用いた操作画面の重畳を説明する図である。
【図１０】透過色を用いた操作画面の重畳を説明する図である。
【図１１】従来の操作画面の重畳方法を説明する図である。
【発明を実施するための形態】
【００２１】
以下に、本発明の一実施形態を添付図面に基づいて説明する。
図１は、操作表示装置１の制御ブロックを示す図である。
操作表示装置１は、ハードウェアとしてＬＣＤ部２と、タッチパネル部３と、を有しており、これらが組み合わされてパネルが構成されている。この実施形態では、ＬＣＤ部２は、本発明の表示部を構成し、タッチパネル部３は、本発明の操作部を構成する。なお、操作部としてさらにマウス、トラックボールなどの入力装置を備えるものであってもよい。本発明としては、操作部や表示部の構成が上記に構成されるものではなく、表示装置と表示装置外のマウスなどの入力装置によって構成されるものであってもよい。表示部は、少なくとも操作画面を表示できるものであればよく、ＣＲＴや有機ＥＬディスプレイなどを用いることができる。操作部は、表示部に表示された操作画面に対する操作入力を行えるものであればよく、その手段は特に限定されない。
【００２２】
ＬＣＤ部２は、ＬＣＤデバイス２ＡとＬＣＤコントローラ２ＢとＶＲＡＭ２Ｃとを有している。ＬＣＤ部２は、ＬＣＤコントローラ２Ｂによって直接制御される。ＬＣＤコントローラ２Ｂは、ＣＰＵやＣＰＵに所定の手順を実行させるプログラム、不揮発メモリ、ＲＡＭなどにより構成することができる。ＶＲＡＭ２Ｃは、ＬＣＤデバイス２Ａに表示する操作画面を描画するための画像データが一時的に保存される。
【００２３】
タッチパネル部３は、タッチパネルデバイス３Ａと、タッチパネルコントローラ３Ｂとを有しており、タッチパネルデバイス３Ａは、ＬＣＤデバイス２Ａに重ねて設置される。タッチパネルデバイス３Ａは、タッチパネルコントローラ３Ｂによって直接制御される。タッチパネルコントローラ３Ｂは、ＣＰＵやＣＰＵに所定の手順を実行させるプログラム、不揮発メモリ、ＲＡＭなどにより構成することができる。
【００２４】
ＬＣＤコントローラ２Ｂは、制御部４内でＬＣＤドライバー１０２と通信可能になっており、タッチパネルコントローラ３Ｂは、制御部４内でタッチパネルドライバー１１２と通信可能になっている。
制御部４は、図示しないＣＰＵと、このＣＰＵに所定の手順を実行させるプログラム、不揮発メモリ、ＲＡＭなどにより構成することができ、操作表示装置１全体を制御する。
制御部４は、タッチパネルドライバー１１２と通信が可能なタッチパネル制御部１０を有しており、さらにタッチパネル制御部１０との通信が可能なＰＰパネル制御部１１０およびＯＰパネル制御部１１１を有している。
【００２５】
ＰＰパネル制御部１１０およびＯＰパネル制御部１１１は、タッチパネルに対するキー検知を行い、検知された座標を相互に送信可能とされている。さらに、ＬＣＤに対するＰＰ操作画面やＯＰ操作画面の描画制御を行うことができる。
【００２６】
ＬＣＤドライバー１０２は、ＰＰ ＬＣＤ制御部１００およびＯＰ ＬＣＤ制御部１０１と通信可能になっている。
【００２７】
ＰＰ ＬＣＤ制御部１００は、ＰＰパネル制御部１１０の制御によってＬＣＤに操作画面を表示する。
ＯＰ ＬＣＤ制御部１０１は、ＯＰパネル制御部１１１の制御によってＬＣＤに操作画面を表示する。
なお、この実施形態では、ＰＰ用の操作画面は、本発明における第１の操作画面に相当し、ＯＰ用の操作画面は、本発明における第２の操作画面に相当する。
【００２８】
タッチパネルデバイス３Ａに、ユーザーが触れた場合、タッチパネルデバイス３Ａが座標を検出し、タッチパネルコントローラ３Ｂが割り込み要求を発生し、タッチパネルドライバー１１２へ座標を通知する。
タッチパネルドライバー１１２は、タッチパネルコントローラ３ＢとＩ／Ｏ要求で通信を行って座標を取得し、タッチパネル制御部１０へ座標を通知する。
タッチパネル制御部１０は、タッチパネルドライバー１１２で取得した座標をＰＰパネル制御部１１０へ通知する。ＰＰパネル制御部１１０は、タッチパネル制御部１０から通知された座標が、ボタンの領域かどうかを判断し（これをキー検知処理と呼ぶ）、ボタンの領域の場合は、規定のプログラムを実行する。
例えば、次の画面の画像を作成し、ＰＰ ＬＣＤ制御部１００へ描画要求を送信する。ボタンの領域でない場合は、何もしない。ＰＰ ＬＣＤ制御部１００は、ＰＰパネル制御部１１０から受信した描画要求に基づき、ＬＣＤドライバー１０２を介してＬＣＤコントローラ２Ｂへ描画指示し、ＶＲＡＭ２Ｃの通常バンクへ画面の画像データを書き込む。ＬＣＤデバイス２ＡはＶＲＡＭ２Ｃの通常バンクのデータをＬＣＤに表示する。
【００２９】
ＯＰパネル制御部１１１は、ＰＰパネル制御部１１０と同様の役割があり、ＰＰパネル制御部１１０から通知された座標が、ボタンの領域かどうかを判断し（これをキー検知処理と呼ぶ）、ボタンの領域の場合は、規定のプログラムを実行する。
例えば、次の画面の画像を作成し、ＯＰ  ＬＣＤ制御部１０１へ描画要求を送信する。ボタンの領域でない場合は、何もしない。ＯＰ  ＬＣＤ制御部１０１は、ＯＰパネル制御部１１１から受信した描画要求に基づき、ＬＣＤドライバー１０２を介してＬＣＤコントローラ２Ｂへ描画指示し、ＶＲＡＭ２Ｃのレイヤーバンクへ画面の画像データを書き込む。ＬＣＤデバイス２Ａは、ＶＲＡＭ２Ｃのレイヤーバンクと通常バンクを重ねて（オーバーレイ処理）、ＬＣＤに表示する。
【００３０】
上記では、操作表示装置１単独の構成について説明したが、図２に示すように、操作表示装置１が、例えば画像形成装置２０に組み込まれたものであってもよい。
画像形成装置２０には、画像形成装置２０全体を制御する画像形成制御部２１を有しており、画像形成制御部２１には、プリンター部２３が制御可能に接続されている。プリンター部２３には、画像形成部２３Ａや図示しない搬送経路、搬送ローラなどを備えている。
画像形成制御部２１は、制御部４に対し、表示指令を送って所定の操作画面をＬＣＤ部２に操作可能に表示させることができ、タッチパネル部３に対する操作入力の結果を受けて、必要な処理を行うことができる。
画像形成制御部２１では、タッチパネル部３などで印刷実行の指示がなされると、画像形成に際しプリンター部２３を制御し、画像形成部２３Ａにおいて、用紙に印刷を実行する制御を行う。
【００３１】
さらに、図３は、操作表示装置１を有する画像形成システムを示すブロック図である。
この画像形成システムでは、操作表示装置１と画像形成装置２０とがネットワーク３０によって接続されている。操作表示装置１では、画像形成のために、第１の操作画面および第２の操作画面が用意される。なお、操作表示装置１のみによって、画像形成システムが構成されているものであってもよい。
【００３２】
図４は、Ａ図において、ＬＣＤ２００において、第１の操作画面であるＰＰ操作画面２１０上に、第２の操作画面であるＯＰ操作画面２２０を重ねて表示した状態である。この画面では、ＯＰ操作画面２２０は、全体が表示されたままで、原点座標（０、０）は、相対座標によってＰＰ操作画面２１０の所定位置に配置されている。
【００３３】
Ｂ図は、ＯＰ操作画面２２０に、原点を含む透過領域２２２を設け、かつ配置位置を変更したものである。第２の操作画面２２０では、ジョブ表示を示している領域２２１は不要な領域であり、操作性の点では、ＰＰ操作画面２１０の操作を行いたい。このため、本実施形態では、領域２２１に相当する範囲を透過領域２２２にする。透過領域２２２では、ＰＰ操作画面２１０が透過しており、この領域においてもＰＰ操作画面２１０の操作を行うことができる。
【００３４】
透過領域２２２を除いたＯＰ操作画面２２０では、全体の座標が原点座標に基づいて表示することができ、相対座標を用いてＰＰ操作画面２１０上に容易に変更することができる。すなわち、透過パーツを使う場合、オーバーレイ領域を変更せず、各ボタンの座標も変更せず、透過領域を上書きするだけで、相対座標によって各ボタンやタイトルなどのパーツをそのまま使用して配置することができ、開発効率が向上する。
透過パーツを使わない場合、オーバーレイの領域変更や、各ボタンの座標変更を実装しなければならない。
【００３５】
図５は、タッチパネル、制御部４、ＬＣＤにおけるシーケンス手順の一例を示すものである。
タッチパネルが押されたとき、割り込みを発生し、座標データをＰＰパネル制御部に送信する。ＰＰパネル制御部では、キー検知処理をし、ユーザー認証・部門管理釦が押されたと判断した場合、処理を進める。この例では、ユーザー認証・部門管理釦の押し下げは、セキュリティ上必要とされているが、本実施形態としては、このような判断手順を必要としないものであってもよい。
上記判定後、ＰＰパネル制御部では、ＰＰ操作画面の背面画像をＶＲＡＭに描画し、その通知を受けたＰＰ  ＬＣＤ制御部ではＬＣＤ２００に背面画像（ＰＰ操作画面２１０）を表示する。図６（Ａ）は、この命令によってＬＣＤ２００にＰＰ操作画面２１０のみが表示された画面を示している。
【００３６】
ＰＰパネル制御部では、続いて、前面画面（ＯＰ操作画面２２０）の作成依頼をＯＰパネル制御部に行い、ＯＰパネル制御部では、前面画面（ＯＰ操作画面２２０）をＬａｙｅｒへ描画し、このとき、最後に透過領域２２２を描画する命令を行う。さらに、ＯＰパネル制御部の指令を受けたＯＰ  ＬＣＤ制御部は、図６（Ｂ）に示すように、ＬＣＤ２００において、前面画面（ＯＰ操作画面２２０と透過領域２２２）を、ＰＰ操作画面２１０上にオーバーレイ（重畳）表示する。
【００３７】
ＬＣＤへの操作画面の表示後、タッチパネルが押されると、割り込みを発生し、座標データをＰＰパネル制御部に送信する。ＰＰパネル制御部では、キー検知処理し、オーバーレイ領域内のＯＰ操作画面２２０が押されたと判断した場合、処理を進める。
処理継続では、ＯＰパネル制御部へ座標データを送信し、ＯＰパネル制御部ではキー検知し、透過パーツ内が押されたと判断した場合、処理を進める。
ＯＰパネル制御部では、処理の継続に従ってＰＰパネル制御部へ座標データを送信する。
ＰＰパネル制御部では、キー検知処理し、設定メニューボタンが押されたと判断した場合、処理を進める。ＰＰパネル制御部では、処理継続によりＬＣＤ２００の前記Ｌａｙｅｒを非表示にし、図６（Ｃ）に示すように、ＬＣＤ２００に設定メニュー画面２３０を表示する。
【００３８】
図７は、キー検知の手順を示すフローチャートである。該手順は、制御部４によって実行される。
ユーザーがタッチパネルを押下したとき、押下した位置の座標が検出され、入力データを受信して処理が開始される（ステップｓ１０１）。次いで、画面に存在する全てのボタンの座標と、入力データの座標を比較するために、全てのボタンの数だけループを開始する（ステップｓ１０２）。
【００３９】
処理対象のボタンがなければ、手順を終了し、処理対象のボタンがあれば、入力Ｘ座標データは、ボタン左端Ｘ座標と右端Ｘ座標の範囲内かを判定する（ステップｓ１０３）。範囲内でなければ（ステップｓ１０３、Ｎｏ）、入力データはそのボタン領域内ではないと判定され、次のボタンを処理対象として（ステップｓ１０７）、ステップｓ１０２に戻って処理を継続する。
【００４０】
Ｘ座標が上記範囲内であれば（ステップｓ１０３、Ｙｅｓ）、入力Ｙ座標データは、ボタン上端Ｙ座標と下端Ｙ座標の範囲内かを判定する（ステップｓ１０４）。範囲内でなければ（ステップｓ１０４、Ｎｏ）、入力データはそのボタン領域内ではないと判定され、次のボタンを処理対象として（ステップｓ１０７）、ステップｓ１０２に戻り、処理を継続する。Ｙ座標が範囲内であれば（ステップｓ１０４、Ｙｅｓ）、タッチパネルに押下された箇所は、ボタンの領域内と確定する（ステップｓ１０５）。押下げられたボタンの規定のプログラムを実行し（ステップｓ１０６）、手順を終了する。
ステップｓ１０３とｓ１０４の処理をキー検知処理と呼ぶ。
【００４１】
次に、ＰＰ画面とＯＰ画面を表示する処理の手順を図８のフローチャートに基づいて説明する。以下の手順は、制御部４によって実行される。
ユーザーがタッチパネルを押下したとき、押下した位置の座標が検出され、検出されたＸ座標およびＹ座標の入力データを受信する（ステップｓ２００）。
次いで、ＯＰ画面が表示されているか、判定する（ステップｓ２０１）。
ステップｓ２０１の判定で、ＯＰ画面が表示されていない場合（Ｎｏ）、入力データはＰＰ画面のボタンの領域か、判定する（ステップｓ２０４）。判定は、図７に示したキー検知処理のステップｓ１０２〜ｓ１０５、ｓ１０７に基づいて行うことができる。
【００４２】
ステップｓ２０１の判定で、ＯＰ画面が表示されている場合（Ｙｅｓ）、入力データはオーバーレイ領域内か、判定する（ステップｓ２０２）。オーバーレイ領域内であれば（ステップｓ２０２、Ｙｅｓ）、入力データをＯＰ側に送信する（ステップｓ２０３）。
ステップｓ２０２の判定で、オーバーレイ領域内でない場合（Ｎｏ）、入力データはＰＰ画面のボタンの領域か、判定する（ステップｓ２０４）。
【００４３】
ステップｓ２０４の判定で、入力データがＰＰ画面のボタンの領域でない場合（Ｎｏ）、ＰＰ画面表示の処理を終了する。
ステップｓ２０４の判定で、入力データがＰＰ画面のボタンの領域である場合（Ｙｅｓ）、ボタンの規定プログラムが、ＰＰ操作画面とＯＰ操作画面のどちらを表示するかを判定する（ステップｓ２０５）。規定のプログラムでは、予めいずれの操作画面を表示するかが設定されている。
ステップｓ２０５の判定で、ＰＰ画面を表示する場合、規定プログラムに基づきＰＰ画面を描画し（ステップｓ２０６）、ＰＰ画面表示の処理を終了する。
ステップｓ２０５の判定で、ＯＰ画面を表示する場合、先ず、ＰＰ画面を描画し（ステップｓ２０６）、規定プログラムに基づきＯＰ画面を表示する（ステップｓ２１３）。その後、透過パーツを描画し（ステップｓ２１４）、ＯＰ画面表示の処理を終了する。
【００４４】
ＯＰ開始では、ステップｓ２０３によるＸ座標とＹ座標の入力データを受信する（ステップｓ２０９）。次いで、入力データは、透過パーツの領域か、判定する（ステップｓ２１０）。
ステップｓ２１０の判定で、入力データが透過パーツの領域である場合（Ｙｅｓ）、入力データをＰＰ側に送信し（ステップｓ２１１）、ＰＰ側では、入力データがＰＰ画面のボタンの領域かの判定がなされる（ステップｓ２０４）。
ステップｓ２１０の判定で、入力データが透過パーツの領域でない場合（Ｎｏ）、入力データは、ＯＰ画面のボタンの領域かの判定がなされる（ステップｓ２１２）。判定は、図７に示したキー検知処理のステップｓ１０２〜ｓ１０５、ｓ１０７に基づいて行うことができる。
【００４５】
ステップｓ２１２の判定で、ＯＰ画面のボタンの領域でない場合（Ｎｏ）、ＯＰ画面表示の処理を終了する。
ステップｓ２１２の判定で、ＯＰ画面のボタンの領域である場合（Ｙｅｓ）、規定プログラムに基づきＯＰ画面を描画し（ステップｓ２１３）、ＯＰ処理を終了する。
【００４６】
次に、透過領域の配置について説明する。
［レイヤー制御の特徴］
レイヤー制御の特徴は、図９に図示されている。
・通常バンクとは別のＶＲＡＭ領域にレイヤーバンクは存在する（上図参照）。
・通常バンクの開始座標、Ｘサイズ、Ｙサイズは常に固定値だが、レイヤーバンクの開始座標、Ｘサイズ、Ｙサイズは変更できる（右図参照）。
・四角形の開始座標は、レイヤーバンクの開始座標を基準にする（下図参照）。
【００４７】
［透過色（αチャネル）の特徴］
透過色の特徴は、図１０に図示されている。
・透過色で作成された画像は、背景が透けて見える。
【００４８】
レイヤー制御を使っても、透過色を使っても同じことを実現することはできる。
異なる点は、レイヤー制御は通常バンクとは別のＶＲＡＭに画像を描画するため、レイヤーをＯＦＦすれば通常バンクの画像を再度そのまま表示することができるが、透過色は通常バンクに描画するため再度前の画像を表示することはできない。本実施形態では、レイヤー制御により透過領域を配置するものとしたが、透過色によって透過領域を配置するものであってもよい。
【００４９】
以上、本発明について上記実施形態に基づいて説明を行ったが、本発明は、実施形態の内容に限定されるものではなく、本発明の範囲を逸脱しない限りは、適宜の変更が当然に可能である。
【符号の説明】
【００５０】
１    操作表示装置
２    ＬＣＤ部
２Ａ  ＬＣＤデバイス
３    タッチパネル部
３Ａ  タッチパネルデバイス
４    制御部
２０    画像形成装置
２１    画像形成制御部
２３    プリンター部
２３Ａ  画像形成部
３０    ネットワーク
２００  ＬＣＤ
２１０  ＰＰ操作画面
２２０  ＯＰ操作画面
２２２  透過領域
【図１】
0006524677.tif 000002
【図２】
0006524677.tif 000003
【図３】
0006524677.tif 000004
【図４】
0006524677.tif 000005
【図５】
0006524677.tif 000006
【図６】
0006524677.tif 000007
【図７】
0006524677.tif 000008
【図８】
0006524677.tif 000009
【図９】
0006524677.tif 000010
【図１０】
0006524677.tif 000011
【図１１】
0006524677.tif 000012